(57)【特許請求の範囲】
【請求項１】
入力映像の走査線数よりも少ない走査線数で表示する液晶表示装置において、
走査線の変換比に応じた走査線間引き処理を行う第１の間引き手段と、上記第１の間引き手段と間引き位置が異なるように走査線の変換比に応じた走査線間引き処理を行う第２の間引き手段と、上記第１の間引き手段の出力信号を上記走査線の変換比に応じて水平周期を拡張する第１の水平周期拡張手段と、上記第２の間引き手段の出力信号を上記走査線の変換比に応じて水平周期を拡張する第２の水平周期拡張手段と、上記第１の水平周期拡張手段の出力信号と上記第２の水平周期拡張手段の出力信号を所定の混合比で加算する映像混合手段とから構成されたことを特徴とする液晶表示装置。
【請求項２】
第１および第２の間引き手段は入力映像を１水平期間遅延するラインメモリと上記ラインメモリと入力映像を切換える切換手段から構成されたことを特徴とする請求項１記載の液晶表示装置。
【請求項３】
入力映像の走査線数よりも少ない走査線数で表示する液晶表示装置において、
入力映像を保持するフレームメモリと、上記フレームメモリから読み出す走査線を表示する走査線数に合わせて間引いて第１の映像を生成する第１の映像生成手段と、上記第１の情報生成手段の間引き位置とは異なる第２の間引き位置で、上記フレームメモリから読み出す走査線を表示する走査線数に合わせて間引いて第２の映像を生成する第２の映像生成手段と、上記第１の映像生成手段の出力信号と上記第２の映像生成手段の出力信号を所定の混合比で加算する映像混合手段とから構成されたことを特徴とする液晶表示装置。
【請求項４】
請求項１あるいは３記載の液晶表示装置であって、
自然画の入力映像の信号処理によるリサイズ手段を備え、自然画の入力映像と静止画の入力映像を同時に表示する際に、上記静止画の入力映像が上記第１および第２の水平周期拡張手段あるいは上記第１および第２の映像生成手段から出力された２つの出力信号に加えて、上記自然画の入力映像のリサイズ手段の出力信号とを所定の混合比で加算するように構成されたことを特徴とする液晶表示装置。
【請求項５】
上記静止画が文字情報であることを特徴とする請求項４記載の液晶表示装置。
【請求項６】
映像混合手段は上記静止画信号の特定の色の信号を検出し、その信号の混合比を大きくするようにしたことを特徴とする請求項４あるいは請求項５記載の液晶表示装置。
【発明の詳細な説明】
【技術分野】
【０００１】
本発明は、液晶パネルに映像を表示するため表示装置であって、特に入力映像の走査線数より液晶パネルの走査線数が少ない場合の映像リサイズ方法に関するものである。
【背景技術】
【０００２】
ディジタルビデオカメラなどの携帯映像機器の表示装置として液晶パネルが一般的に用いられている。これらの機器は記録した画像をテレビに表示させるため、地域の放送規格に応じた方式で映像記録される。例えば日本では走査線数５２５本のＮＴＳＣ形式であり、欧州では走査線数６２５本のＰＡＬ形式である。しかしながら標準化による低コスト化のため一般的に液晶パネルは地域に応じた走査線数のパネルではなく共通の走査線数のものが使われている。このため正しく映像を表示するには各放送方式に合わせたリサイズ処理が必要になる。
【０００３】
これまでの商品形態では、液晶パネルはＮＴＳＣの走査線数に準じたかたちで一般化され、ＰＡＬ方式での表示は液晶パネルの間引き駆動とよばれる手法で簡易的なリサイズを行うのが一般的であった。
【０００４】
図２２は従来の一般的な商品でのＰＡＬ方式での表示形態を示したものであり、同時に液晶パネルの間引き駆動の原理を示した図である。
【０００５】
今、液晶パネルの走査線数を２４０、ＰＡＬの１フィールド期間中の有効走査線数を２８８とした場合、液晶パネルに正しく真円表示させるには２８８ラインの映像を２４０ラインに変換する必要があるが、図２２では説明をわかりやすくするため８ラインの映像を走査線数７本の液晶パネルに表示させる従来原理を示している。
【０００６】
図２２に示すように、入力画像の走査線数が液晶パネルの走査線数より多い場合、走査線数の変換比率に合わせて液晶の駆動を間引くことにより映像全体を表示する。このとき走査線間引きにより図２２に示すように重要な情報が失われることがある。図２２の例では、元のＡという文字の重要な線が失われている様子がわかる。
【０００７】
これを改善するため、さらに図２３に示すように１フィールド毎に間引き位置を変え、図２４に示すように人間の目の積分効果で、できるだけもとの情報を保存している。
【０００８】
上記表示手法を具体例として特開平９−７３０６１号公報（以下、文献１と記載）に示されている。
【０００９】
文献１は、さらに１フレーム５７６ラインのインターレース映像を４８０本の走査線を持つ液晶パネルに表示させるときに生じるライン逆転の課題を解決する手法が示されているが、基本的に間引きによる走査線変換方式であり、根本の走査線変換の原理は上記図２２〜図２４の例と同一である。
【特許文献１】特開平９−７３０６１号公報
【発明の開示】
【発明が解決しようとする課題】
【００１０】
図２２〜図２４に示す方法や、文献１に示されている方法は、特別な回路を必要とせず安価にしかも簡単にリサイズ表示が実現可能である。
【００１１】
しかしながら、この場合フィールド毎に画が変わるためフリッカが発生し表示品位を損なうという課題あった。
【００１２】
またこれを改善するため、垂直方向のフィルタ処理を行う方法も一般的に行われているが、入力画像が自然画ではなく、文字情報の場合、フィルタ処理により文字のエッジがぼけ先鋭感が損なわれる問題も発生する。
【００１３】
本発明は上記のような課題を改善するためになされたものであり、入力映像（特に文字などの静止画像）の走査線数を液晶パネルの走査線数に変換する場合に、フリッカの発生無く、さらにエッジの先鋭感の劣化を最小限に抑えるリサイズ手段を提供するものである。
【課題を解決するための手段】
【００１４】
上記課題を解決するための第１の手段は、入力映像の走査線数よりも少ない走査線を持つ液晶パネルに静止画を表示する液晶表示装置において、上記走査線の変換比に応じた走査線間引き処理を行う第１の間引き手段と、上記第１の間引き手段と間引き位置が異なるように設定され上記走査線の変換比に応じた走査線間引き処理を行う第２の間引き手段と、上記第１の間引き手段の出力信号を上記走査線の変換比に応じて水平周期を拡張する第１第１の水平周期拡張手段と、上記第２の間引き手段の出力信号を上記走査線の変換比に応じて水平周期を拡張する第２の水平周期拡張手段と、上記第１の水平周期拡張手段の出力信号と上記第２の水平周期拡張手段の出力信号を所定の混合比で加算する映像混合手段とから構成するものである。
【００１５】
上記課題を解決するための第２の手段は、入力映像の走査線数よりも少ない走査線を持つ液晶パネルに静止画を表示する液晶表示装置において、入力映像を保持するフレームメモリと、液晶パネルの走査線数に合わせフレームメモリから読み出す走査線を間引きながら第１の静止画を生成する第１の映像生成手段と、液晶パネルの走査線数に合わせフレームメモリから読み出す走査線を上記第１の情報生成手段の間引き位置とは異なる第２の間引き位置で第２の静止画を生成する第２の映像生成手段と、上記第１の映像生成手段の出力信号と上記第２の映像生成手段の出力信号を所定の混合比で加算する映像混合手段とから構成するものである。
【発明の効果】
【００１６】
本発明の第１の手段では、２つのラインメモリのみで擬似的に第１フィールドの間引き映像と第２フィールドの間引き映像の両方のデータが同時に得られ、これによりフィールド方向の多重処理と同一の処理が行えるためフリッカレスで垂直方向のエッジのにじみがやボケなくリサイズ処理が可能になる。特に入力が静止画の場合は、擬似的ではなく正確に第１フィールドの間引き映像と第２フィールドの間引き映像の両方のデータが同時に得られるため、効果は増し、さらに入力映像がＯＳＤなどの文字情報の場合、さらに一層の効果がある。
【００１７】
本発明の第２の手段でも、上記第１の手段と同一の効果を有する。
【発明を実施するための最良の形態】
【００１８】
（実施の形態１）
以下に本発明の実施例について図を参照しながら説明する。図１は本発明の第１の実施の形態を示す図である。本実施の形態では、入力画像としてカメラで撮影された自然画（第１の入力映像）と、上記第１の入力映像と同一の走査線をもつ文字情報が主体の静止画（第２の入力映像）が表示・非表示切換情報（以下表示イネーブル信号と記載）とともに入力され、これを入力映像の走査線数より少ない液晶パネルにフリッカを発生させずまた先鋭感の低下を最小限に抑えて表示させる液晶表示装置の例として説明する。
【００１９】
図１において、１は第１の入力映像の走査線数を液晶パネルの走査線数に変換する垂直リサイズ手段であり、本実施の形態では走査線の変換比が例えば５：４の場合、水平周期は図２に示すように４：５になるように拡張されて出力されるものとする。ここでは、便宜上垂直リサイズ手段１からは入力信号に対し図２に示すように入力水平周期に対して１水平周期期間（以下単に１Ｈと記す）だけ遅延して出力されるものとする。ここで垂直リサイズ手段は特に特別なものである必要はなく一般的に用いられている手段でも本発明の効果には影響しないため詳細説明は省略する。
【００２０】
２は図３に示すように第２の入力映像の（２＋５・Ｎ）ライン目（Ｎは０以上の整数）を間引いて出力する第１の走査線間引き手段であり、これを実現する具体的な回路を図４に示す。図４において２１は第２の入力信号を１Ｈ遅延して出力する第１の１Ｈ遅延回路、２２は第２の入力映像信号と第１の１Ｈ遅延回路２１の出力を図３に示す第１のセレクト信号で切り換えて出力する第１のセレクタである。図３に示す第１のセレクト信号により第１のセレクタを切換ることによって図４に示す回路で図３の第１の走査線間引き手段の出力信号を得ることができる。
【００２１】
３は図５に示すように第２の入力映像の（４＋５・Ｎ）ライン目（Ｎは０以上の整数）を間引いて出力する第２の走査線間引き手段であり、これを実現する具体的な回路を図６に示す。図６において３１は第２の入力信号を１Ｈ遅延して出力する第２の１Ｈ遅延回路、３２は第２の入力映像信号と第２の１Ｈ遅延回路３１の出力を図５に示す第２のセレクト信号で切り換えて出力する第２のセレクタである。図５に示す第２のセレクト信号により第２のセレクタを切換ることによって図６に示す回路で図５の第２の走査線間引き手段の出力信号を得ることができる。ここで、第１の走査線間引き手段２から出力される映像信号は、第１フィールドの間引き処理によって得られる映像信号に相当し、第２の走査線間引き手段３から出力される映像信号は第１フィールドの間引き処理によって得られる映像信号に相当する。すなわち、この段階で第１フィールドの映像と第２フィールドの映像の２つが同時に得られていることになる。
【００２２】
４は図７に示すように第１の走査線間引き手段２の出力の水平周期を拡張して出力する第１の水平周期拡張手段であり、これを実現する具体的な回路を図８に、また図８の回路を制御する各タイミング信号波形（第１のライトイネーブル信号、第１のリードイネーブル信号）を図７に示す。図８において４１は入力の第１の走査線間引き手段出力信号の１Ｈ期間のデータを保持する第１のラインメモリである。このラインメモリは図７に示す第１のライトイネーブル信号によってライト制御（“Ｈ”のとき書込み）され、第１のリードイネーブル信号によってリード制御（“Ｈ”のとき読み出し）される。これによって図７の水平周期が拡張された信号を得ることができる。ここで水平周期拡張の比率は上記垂直リサイズ手段同様走査線の変換比が例えば５：４の場合、水平周期は４：５になるように拡張されて出力されるものとする。
【００２３】
５は図９に示すように第２の走査線間引き手段３の出力の水平周期を拡張して出力する第２の水平周期拡張手段であり、これを実現する具体的な回路を図１０に、また図１０の回路を制御する各タイミング信号波形（第２のライトイネーブル信号、第２のリードイネーブル信号）を図９に示す。図１０において５１は入力の第２の走査線間引き手段出力信号の１Ｈ期間のデータを保持する第２のラインメモリである。このラインメモリは図９に示す第２のライトイネーブル信号によってライト制御（“Ｈ”のとき書込み）され、第２のリードイネーブル信号によってリード制御（“Ｈ”のとき読み出し）される。これによって図９の水平周期が拡張された信号を得ることができる。ここで水平周期拡張の比率は上記垂直リサイズ手段同様走査線の変換比が例えば５：４の場合、水平周期は４：５になるように拡張されて出力されるものとする。この第１および第２の水平拡張手段は、垂直リサイズ手段１の出力と同一の走査線および同一の水平周期となるように変換するものである。
【００２４】
６は垂直リサイズ手段１から出力される映像信号と第１の水平周期拡張手段から出力される第１フィールドに相当する映像と、第２の水平周期拡張手段から出力される第２フィールドに相当する映像を所定の混合比で混合する映像混合手段であり、具体的には、第１の水平周期拡張手段４から映像とともに出力される表示イネーブル信号（以下第１の表示イネーブル信号と記す）と第２の水平周期拡張手段５から映像とともに出力される表示イネーブル信号（以下第２の表示イネーブル信号と記す）とから上記３つの映像信号の混合係数（それぞれ垂直リサイズ処理手段出力の映像に掛け合わされる乗算係数を第１の混合係数、第１の水平周期拡張手段出力の映像に掛け合わされる乗算係数を第２の混合係数、第２の水平周期拡張手段出力の映像に掛け合わされる乗算係数を第３の混合係数と記す）を出力する混合比生成回路６１、それぞれ３つの映像信号と３つの混合係数の乗算を行う乗算器６２、乗算器６３、および乗算器６４、さらに上記３つの乗算器の出力を加算する加算器６５から構成される。
【００２５】
ここで混合比生成回路６１は第１の表示イネーブル信号がＯＮ状態、第２の表示イネーブル信号がＯＮ状態のときは、第１の混合係数は０が出力され、第２、第３の混合係数は０．５が出力されるようになっている。また第１の表示イネーブル信号がＯＮ状態、第２の表示イネーブル信号がＯＦＦ状態のときは、第１の混合係数は０．５が出力され、第２の混合係数は０．５が出力され、第３の混合係数は０が出力されるようになっている。また第１の表示イネーブル信号がＯＦＦ状態、第２の表示イネーブル信号がＯＮ状態のときは、第１の混合係数は０．５が出力され、第２の混合係数は０が出力され、第３の混合係数は０．５が出力されるようになっている。また第１の表示イネーブル信号がＯＦＦ状態、第２の表示イネーブル信号がＯＦＦ状態のときは、第１の混合係数は１が出力され、第２および第３の混合係数は０が出力されるようになっている。
【００２６】
７は第１および第２の入力映像を表示する液晶パネルである。
【００２７】
次いでこのように構成された液晶表示装置の動作を第１の入力映像が図１１に示す単一な映像（ここでは第２の映像と区別するため斜線で示した）、第２の入力映像が図１２に示す文字情報の場合を例にとり説明する。説明を簡単にするために、第１および第２の入力映像のデータ数を水平１２ピクセル、垂直１０ラインとし、このデータが表示される液晶パネルは水平１２ピクセル、垂直８ラインとする。また図１２において黒で示されたピクセルの表示イネーブル信号は全てＯＮ、以外のピクセルの表示イネーブルは全てＯＦＦ（すなわちこのピクセルは第１の映像を表示）とする。
【００２８】
この例の場合、入力の走査線数１０本を液晶パネルの走査線数８本に変換するので、変換比率は５：４になり上記図２、図３、図５、図７、図９のタイミング波形図と同一の波形になる。すなわち第１の走査線間引き手段での間引きラインは２＋５・Ｎライン目、第１の走査線間引き手段２での間引きラインは４＋５・Ｎライン目として説明する。第１の入力映像が単一な映像の場合、リサイズ処理を行っても出力は単一になり、垂直リサイズ処理手段１の出力は図１４（Ａ）に示す映像となる。次いで、第１の走査線間引き手段２の出力波形は入力の第２ライン、第７ラインが間引かれて、図３に示すように無効ライン、入力の第１ライン、入力の第３ライン、入力の第４ライン、入力の第５ライン…という順に出力される。つまり画像イメージでは図１３（Ａ）のようになる。
【００２９】
次いで、第２の走査線間引き手段３の出力波形は入力の第４ライン、第９ラインが間引かれて、図５に示すように無効ライン、入力の第１ライン、入力の第２ライン、入力の第３ライン、入力の第５ライン…という順に出力される。つまり画像イメージでは図１３（Ｂ）のようになる。次いで第１の水平周期拡張手段４の出力波形は図７に示すように水平周期が拡張され、図１４（Ｂ）に示す画像イメージで出力される。同様に次いで第２の水平周期拡張手段５の出力波形は図９に示すように水平周期が拡張され、図１４（Ｃ）に示す画像イメージで出力される。
【００３０】
ここで、図２２〜図２４に示した従来の液晶の間引き駆動による走査線変換手法では図１１の第２の入力映像は図１４（Ｂ）の画像と図１４（Ｃ）の画像が１フィールド毎に交互に表示される画像と等価である。つまり入力映像のフィールド周波数が５０Ｈｚの場合、データが表示されるラインと表示されないラインで２５Ｈｚのフリッカとして認識される。本発明の映像混合手段６は、図１４（Ｂ）の画像と図１４（Ｃ）の画像とさらには第１の入力映像を走査線変換した図１４（Ａ）の画像を予め混合させて出力するものである。これによりフリッカのない映像の表示が可能になる。
【００３１】
この動作を図１４に示す画像の６ライン目を抜き出して説明する。図１５は図１４（Ａ）、（Ｂ）、（Ｃ）の６ライン目の信号を示したものであり、図１５において（Ａ）は垂直リサイズ手段１の出力信号、（Ｂ）は第１の混合係数、（Ｃ）は第１の水平周期拡張手段４の第１の水平周期拡張手段４の出力データ、（Ｄ）は第１の表示イネーブル信号、（Ｅ）は第２の混合係数、（Ｆ）は第２の水平周期拡張手段５の出力データ、（Ｇ）は第２の表示イネーブル信号、（Ｈ）は第３の混合係数であり、（Ｉ）は映像混合手段６の出力データである。図１５において、第１ピクセル目のデータは第１および第２の表示イネーブル信号が“Ｌ”であるため垂直リサイズ手段１から出力される映像に対応する第１の混合係数は１となり、第１および第２の水平周期拡張手段４および５から出力されるデータに対応する第２および第３の混合係数は０になるので、映像混合手段６からは垂直リサイズ手段１から出力される映像のみが出力される。また第３ピクセル目のデータは第１および第２の表示イネーブル信号がともに“Ｈ”であるため垂直リサイズ手段１から出力される映像に対応する第１の混合係数は０となり、第１および第２の水平周期拡張手段４および５から出力されるデータに対応する第２および第３の混合係数は０．５になるので、映像混合手段６からは第１および第２の水平周期拡張手段４および５から出力されるデータがそれぞれ混合比０．５で加算されて出力される。
【００３２】
このような動作によって図１４に示す画像の６ライン目は映像混合手段６によって図１５（Ｉ）に示すデータになる。このような動作によって図１６に映像混合手段６から出力される映像イメージを示す。この映像は従来の液晶の間引き駆動による走査線変換手法で表示される第１のフィールドの画像と第２フィールドの画像を人間の目で積分した映像に等しくかつ第２の入力映像が静止画の場合の場合、全てのフィールドで同一の画像表示となるのでフリッカが発生しない。
【００３３】
ここで第２の映像が文字情報の場合、図１６の６ライン目のデータのようにもともと黒であるデータが他のデータとミックスされて本来の文字品位が損なわれる場合がある。これは特定の色についての混合係数を大きくすることで改善できる。図１７に特定の色の混合係数を大きくする場合の第２の映像混合手段６０を示す。図１７において、６６は第１の水平周期拡張手段４の出力信号の黒レベルを検出しそのレベルに応じて混合比が大きくなるように第１の混合係数を補正する信号を出力する第１の黒レベル検出手段、６７は第１の水平周期拡張手段５の出力信号の黒レベルを検出しそのレベルに応じて混合比が大きくなるように第２の混合係数を補正する信号を出力する第２の黒レベル検出手段、６８および６９は混合係数を補正する乗算器である。
【００３４】
図１７の例ではデータが黒のときに混合係数を大きくする。この構成による図１６の画像の表示イメージを図１８に示す。図１８（Ａ）は黒のデータの混合係数を若干大きくした場合の画像イメージ、同図（Ｂ）はさらに黒のデータの混合係数を大きくした場合の画像イメージである。このようにエッジの急峻性を保存したいデータ（図１７では黒のデータが相当する）についてはそのデータの混合係数を大きくすることにより表示品位を改善することができる。ここでは黒データの混合係数を大きくする例を示したが、これは商品形態により異なる。例えば第２の入力映像が文字主体の情報でありその文字を構成する色によって赤を強調する場合や青を強調する場合があるからである。これは商品毎に異なり文字表示の形態に合わせて強調する色を変えればよい。
【００３５】
このように本実施例では、従来の液晶の走査線間引き駆動表示による２フィールド分のデータを混合して１フィールドで出力（フィールド補間と等しい処理）できるのでフリッカの発生なく映像の表示が可能になること、さらには特定の色について混合係数を変えることにより表示品位をさらに向上させることができる。
【００３６】
また上記実施の形態１では第１の走査線間引き手段による間引き位置を２＋５・Ｎ（Ｎは０以上の整数）とし、第２の走査線間引き手段による間引き位置を４＋５・Ｎ（Ｎは０以上の整数）としたが、これは特にこの位置に限定する必要はなく、できるだけ均等な間引き位置にすることが望ましいものの、第１の走査線間引き手段と第２の走査線間引き手段の間引き位置が同一でなければ同様の効果が得られる。またこの間引き位置は走査線変換比率によって異なるのは明白である。
【００３７】
また、図２１は図１に示す第１および第２の走査線間引き手段、第１および第２の水平周期拡張手段の構成図である。第１の走査線間引き手段と第２の走査線間引き手段は図４、図６に示すように同一構成で実現できるため、実際には図２１のように１つの１Ｈ遅延回路と２つのセレクタで実現できる。
【００３８】
また、図７〜図１０に示すように第１の水平周期拡張手段と第２の水平周期拡張手段は同一の制御パルス（ライトイネーブル信号とリードイネーブル信号が共通）で実現できるため、ラインメモリの制御回路を１つにできる。このように図２１の回路では、高価なフィールドメモリを用いず、１Ｈ期間のデータを保持する３つのメモリのみでフィールド方向の補間処理が低コストで実現できるメリットがある。
【００３９】
（実施の形態２）
図１９は本発明の第２の実施の形態を示す図である。図１９において、８は第２の入力画像と第２の入力画像の表示イネーブル信号を１フィールド期間保持するフィールドメモリ、９はフィールドメモリ８から液晶の走査線数と一致するように走査線が間引かれた第１フィールドの液晶表示映像を読み出す第１の映像生成手段、１０はフィールドメモリ８から液晶の走査線数と一致するように走査線が間引かれた第２フィールドの液晶表示映像を読み出す第２の映像生成手段である。ここで第１の映像生成手段および第２の映像生成手段における入力映像の間引き位置はそれぞれ上記実施の形態１で示した第１の走査線間引き手段、第２の走査線間引き手段と同一である。
【００４０】
図２０に第２の入力映像と液晶パネルの走査線比率が５：４の場合の出力波形図を示す。この波形図は上記第１の水平周期拡張手段および第２の水平周期拡張手段の出力と同一となるように動作する。以下の映像混合手段６、垂直リサイズ手段１の動作、構成は上記実施の形態１と同一である。
【００４１】
上記実施の形態１は１ライン分の映像を記憶するメモリと水平周期を拡張する手段によって入力映像から液晶に表示される第１フィールド目の映像と第２フィールド目の映像を生成したが、この例ではこれらの変わりに１フィールドの映像を記憶するフィールドメモリによって実現しているのみで他の動作はなんら変わらない。このため図１２に示す文字情報を入力すれば、図１６、図１８に示す画像が表示される。つまりこの実施の形態２においても映像混合手段により同様にフリッカのない、エッジの先鋭感をできるだけ損なわずに表示が可能である。
【産業上の利用可能性】
【００４２】
本発明にかかる液晶表示装置は、入力映像と走査線が異なる液晶パネルに安価でフリッカレスで高品位な表示が可能であり、特に文字表示において格別の効果を奏し、低コストで各地域の放送に合わせた表示対応が必要なディジタルビデオカメラなどの表示装置として有用である。
【図面の簡単な説明】
【００４３】
【図１】本発明の第１の手段による液晶表示装置を示すブロック図
【図２】本発明の第１の手段による垂直リサイズ手段の動作を説明するタイミング波形図
【図３】本発明の第１の手段による第１の走査線間引き手段の動作を説明するタイミング波形図
【図４】本発明の第１の手段による第１の走査線間引き手段の具体例を示すブロック図
【図５】本発明の第１の手段に第２の走査線間引き手段の動作を説明するタイミング波形図
【図６】本発明の第１の手段による第２の走査線間引き手段の具体例を示すブロック図
【図７】本発明の第１の手段による第１の水平周期拡張手段の動作を説明するタイミング波形図
【図８】本発明の第１の手段による第１の水平周期拡張手段の具体例を示すブロック図
【図９】本発明の第１の手段による第２の水平周期拡張手段の動作を説明するタイミング波形図
【図１０】本発明の第１の手段による第２の水平周期拡張手段の具体例を示すブロック図
【図１１】本発明の第１の手段による液晶表示装置の動作を説明するための入力画像イメージを示す図
【図１２】本発明の第１の手段による液晶表示装置の動作を説明するための入力画像イメージを示す図
【図１３】本発明の第１の手段による第１および第２の走査線間引き手段の出力画像イメージを示す図
【図１４】本発明の第１の手段による第１および第２の水平周期拡張手段の出力画像イメージを示す図
【図１５】本発明の第１の手段による映像混合手段の動作を説明する画像イメージを示す図
【図１６】本発明の第１の手段による映像混合手段の動作を説明する画像イメージを示す図
【図１７】本発明の第１の手段による映像混合手段の他の具体例を示すブロック図
【図１８】本発明の第１の手段による映像混合手段の他の具体例による動作を説明する画像イメージを示す図
【図１９】本発明の第２の手段による液晶表示装置を示すブロック図
【図２０】本発明の第２の手段による第１および第２の映像生成手段の動作を説明するタイミング波形図
【図２１】本発明の第１の手段による液晶表示装置の具体実施例を示すブロック図
【図２２】従来の液晶表示装置の動作を説明するタイミング波形図
【図２３】従来の液晶表示装置の動作を説明するタイミング波形図
【図２４】従来の液晶表示装置の動作を説明する画像イメージを示す図
【符号の説明】
【００４４】
２    第１の走査線間引き手段
３    第２の走査線間引き手段
４    第１の水平周期拡張手段
５    第２の水平周期拡張手段
６    映像混合手段
７    液晶パネル
８    フィールドメモリ
９    第１の映像生成手段
１０    第２の映像生成手段
【図１】
0004608889.tif 000002
【図２】
0004608889.tif 000003
【図３】
0004608889.tif 000004
【図４】
0004608889.tif 000005
【図５】
0004608889.tif 000006
【図６】
0004608889.tif 000007
【図７】
0004608889.tif 000008
【図８】
0004608889.tif 000009
【図９】
0004608889.tif 000010
【図１０】
0004608889.tif 000011
【図１１】
0004608889.tif 000012
【図１２】
0004608889.tif 000013
【図１３】
0004608889.tif 000014
【図１４】
0004608889.tif 000015
【図１５】
0004608889.tif 000016
【図１６】
0004608889.tif 000017
【図１７】
0004608889.tif 000018
【図１８】
0004608889.tif 000019
【図１９】
0004608889.tif 000020
【図２０】
0004608889.tif 000021
【図２１】
0004608889.tif 000022
【図２２】
0004608889.tif 000023
【図２３】
0004608889.tif 000024
【図２４】
0004608889.tif 000025